(57)【要約】      （修正有）【課題】ディスプレイパネルエリアと制御パネルエリアの異なる形式の変換及び装飾が可能で発光装置の取り付けに便利なゲーム機の提供。【解決手段】機体１０の中段以上の表面に使用者の視線と平行にディスプレイパネル２０が設けられ、ディスプレイパネルの底端に使用者と垂直に制御パネル３０が設けられ、機体の左右両側の前向きに延伸された側辺の前端に横板１６が設けられ、この横板の前端面に前端板４０が組付けられ、その後方の制御パネル３０の下方に列をなす発光ダイオード５０が組付けられ、横板の両端内側に位置決め手段６０が組付けられ、前端板が横板の対応する孔により機体表面に螺子止めされ、該前端板の両側上端に所定高さの隆起部４７、４８が設けられ、これら隆起部が内挟持溝を具えてカバーを挟持し、発光ダイオード装置が前端板の隆起部の間及び制御パネルの下方に組付けられている。【選択図】図２
0003107015.tif 000002
【実用新案登録請求の範囲】
【請求項１】
ゲーム機において、機体の中段以上の表面に使用者の視線と平行にディスプレイパネルが設けられ、ディスプレイパネルの底端に使用者と垂直に制御パネルが設けられ、機体の左右両側の前向きに延伸された側辺の前端に横板が設けられ、この横板の前端面に前端板が組付けられ、その後方の制御パネルの下方に列をなす発光ダイオードが組付けられ、該発光ダイオード、基板及びカバーで構成された発光ダイオード装置に位置決め手段が組み合わされて制御パネル下方に組付けられ、上述の横板の両端内側に位置決め手段が螺子止めされ、前端板が横板の対応する孔により機体表面に螺子止めされ、該前端板の両側上端に所定高さの隆起部が設けられ、これら隆起部が内挟持溝を具えてカバーを挟持し、発光ダイオード装置が前端板の隆起部の間及び制御パネルの下方に組付けられたことを特徴とする、ゲーム機。
【請求項２】
請求項１記載のゲーム機において、機体の中段以上の表面に上框と両側框が設けられ、上框と両側框に列をなす溝と貫通孔が設けられ、この溝と貫通孔がディスプレイパネルの対応位置に設けられたフックとネジ孔に組み合わされてディスプレイパネルが機体に組付けられたことを特徴とする、ゲーム機。
【請求項３】
請求項１記載のゲーム機において、機体の中段近くの両側に前向きに延伸された側辺が設けられ、この側辺の上端に上折片が設けられ、上折片にスロットが設けられ、該スロットに制御パネルの対応位置に設けられたネジ柱が、制御パネルの機体中段上表面への組付けに供されることを特徴とする、ゲーム機。
【考案の詳細な説明】
【技術分野】
【０００１】
本考案はゲーム機に係り、特にそのディスプレイパネルエリアと制御パネルエリアが改良された組合せ構造により各種の異なる形式及び外観様式に変換及び装飾可能とされたゲーム機に関する。
【背景技術】
【０００２】
現在のゲーム機の構造中、その機体は使用者の視線と平行な大きなディスプレイパネルエリアと使用者と垂直な制御パネルエリアを具えている。ディスプレイパネルエリアは機種及びゲーム方式の違いにより各種の変換形式を有し、制御パネルエリアはその表面に複数の制御ボタンが設けられて各種ゲームプロセス制御に供される。
【０００３】
周知のゲーム機の表示パネルエリアと機体のほとんどはプラスチック射出方式で一体成形され、このため異なるゲーム機種のディスプレイパネルは通常異なる金型設備で成形しなければならず、このため全体の製造コストが高くなるほか、機体外観設計変化の弾性も少なくなる。また、周知のゲーム機はこのような構造上の制限を受けるため、その制御パネルエリアの関係する変換或いは装飾設計にも不便である。
【０００４】
また、ゲーム機の外観の吸引力を増すため、一般にはゲーム機の関係部分に列をなすフラッシュランプが設けられている。現在あるゲーム機は節電、コストを配慮し、またそのフラッシュランプ装飾機能を増すため、ほとんどが複数の発光ダイオード（ＬＥＤ）を使用している。しかしこのような列をなす発光ダイオードはアクリルのような材料で形成されたカバーを使用する必要があり、アクリル材料は砕けやすく、通常ネジのような固定手段での固定に不便であり、間接的にゲーム機にこのような装飾ランプの取付上の問題を形成する。
【考案の開示】
【考案が解決しようとする課題】
【０００５】
本考案の目的は一種のゲーム機を提供することにあり、それは、ディスプレイパネルエリアと制御パネルエリアの異なる形式及び外観様式の変換及び装飾設計が可能で発光装置の取り付けに便利なゲーム機であるものとする。
【課題を解決するための手段】
【０００６】
請求項１の考案は、ゲーム機において、機体の中段以上の表面に使用者の視線と平行にディスプレイパネルが設けられ、ディスプレイパネルの底端に使用者と垂直に制御パネルが設けられ、機体の左右両側の前向きに延伸された側辺の前端に横板が設けられ、この横板の前端面に前端板が組付けられ、その後方の制御パネルの下方に列をなす発光ダイオードが組付けられ、該発光ダイオード、基板及びカバーで構成された発光ダイオード装置に位置決め手段が組み合わされて制御パネル下方に組付けられ、上述の横板の両端内側に位置決め手段が螺子止めされ、前端板が横板の対応する孔により機体表面に螺子止めされ、該前端板の両側上端に所定高さの隆起部が設けられ、これら隆起部が内挟持溝を具えてカバーを挟持し、発光ダイオード装置が前端板の隆起部の間及び制御パネルの下方に組付けられたことを特徴とする、ゲーム機としている。
請求項２の考案は、請求項１記載のゲーム機において、機体の中段以上の表面に上框と両側框が設けられ、上框と両側框に列をなす溝と貫通孔が設けられ、この溝と貫通孔がディスプレイパネルの対応位置に設けられたフックとネジ孔に組み合わされてディスプレイパネルが機体に組付けられたことを特徴とする、ゲーム機としている。
請求項３の考案は、請求項１記載のゲーム機において、機体の中段近くの両側に前向きに延伸された側辺が設けられ、この側辺の上端に上折片が設けられ、上折片にスロットが設けられ、該スロットに制御パネルの対応位置に設けられたネジ柱が、制御パネルの機体中段上表面への組付けに供されることを特徴とする、ゲーム機としている。
【考案の効果】
【０００７】
本考案のゲーム機は、ディスプレイパネルエリアと制御パネルエリアの異なる形式及び外観様式の変換及び装飾設計が可能で発光装置の取り付けに便利である。
【考案を実施するための最良の形態】
【０００８】
本考案のゲーム機は、機体の中段以上の表面に使用者の視線と平行にディスプレイパネルが設けられ、ディスプレイパネルの底端に使用者と垂直に制御パネルが設けられ、機体の左右両側の前向きに延伸された側辺の前端に横板が設けられ、この横板の前端面に前端板が組付けられ、その後方の制御パネルの下方に列をなす発光ダイオードが組付けられ、該発光ダイオード、基板及びカバーで構成された発光ダイオード装置に位置決め手段が組み合わされて制御パネル下方に組付けられ、上述の横板の両端内側に位置決め手段が螺子止めされ、前端板が横板の対応する孔により機体表面に螺子止めされ、該前端板の両側上端に所定高さの隆起部が設けられ、これら隆起部が内挟持溝を具えてカバーを挟持し、発光ダイオード装置が前端板の隆起部の間及び制御パネルの下方に組付けられている。
【実施例１】
【０００９】
図１に示されるように、本考案の好ましい実施例は、機体１０の中段以上の表面に使用者の視線と平行に大きなディスプレイパネル２０が設けられ、ディスプレイパネル２０の底端に使用者と垂直に制御パネル３０が設けられている。
【００１０】
図２、３に示されるように、通常は金属板材で製造される上記機体１０の中段以上の表面に上框１１と両側框１２が設けられ、並びに上框１１と両側框１２に列をなす溝１３と貫通孔１４が離間配置され、それぞれディスプレイパネル２０の対応位置のフック２１とネジ孔（図示せず）にボルト１５により組み合わされてディスプレイパネル２０に位置決めされる。
【００１１】
図示される実施例では、上述のディスプレイパネル２０に適宜大きさの内部中空空間を具えた外周框２２が設けられ、その内部に複数の発光ダイオード（ＬＥＤ、図示せず）が挿入され、関係回路の制御を通して、これらの発光ダイオードが各種の循環発光を形成するものとされる。これら発光ダイオードを透視するため、全体のディスプレイパネル２０の外框は透明或いは半透明材料で形成され、並びに塗装処理プロセスを通して機体に近い金属のような外観を呈するものとされる。
【００１２】
図示される実施例中、上述のディスプレイパネル２０には内向きに小周径の内框辺２３が延伸形成され、機体１０の対応位置の両側框１２の僅かに内側位置に相互にマッチする内凹位置決め框１２１が設けられてディスプレイパネル２０の組付けに供される。
【００１３】
図４、５に示されるように、本考案の機体１０の中段位置には二つの前向きに延伸された側辺１０１、１０２が設けられ、これら側辺１０１、１０２の上方に制御パネル３０が組付けられ、前端に前端板４０が組付けられる。図示される実施例では、側辺１０１、１０２の上端に二つの上折片１０３、１０４が設けられ、並びにこれら上折片１０３、１０４にスロット１０５、１０６が設けられている。制御パネル３０にあって、これらスロット１０５、１０６に対応する位置にはネジ柱３１（図４）が設けられ、複数の対応するボルト１０７がスロット１０５、１０６を通りこれらネジ柱３１にねじ込まれることで、制御パネル３０が機体１０の中段の上表面に組付けられる。上述の組合せ構造中、スロット１０５、１０６を使用することで、制御パネル３０の前後の組付け位置を調整できる利点が得られる。
【００１４】
上述の制御パネル３０は最も好ましくは一体方式で成形され、並びにその前端に下向きに折り曲げられた前端円弧装飾部３２が形成される。全体の制御パネル３０には予め複数の制御ボタン３３及びコイン投入装置３４等関係部品が組付けられている。
【００１５】
図５から図８に示されるように、上述の機体１０の両側の側辺１０１、１０２の前端に横板１６が設けられ、この横板１６の前端面に前端板４０が組付けられ、並びにその後方の、制御パネル３０の下方部分に列をなす発光ダイオード５０が組付けられ、これら発光ダイオード５０が基板５１の上に設けられ、並びにアクリルのような材料で形成されたカバー５２中にはめ込まれる。この発光ダイオード５０、基板５１及びカバー５２が構成する発光装置が位置決め手段６０と組み合わされて制御パネル３０の下方に組付けられる。
【００１６】
図示される実施例中、上述の横板１６の両端内側にボルト１６１、１６２が設けられ、位置決め手段６０の両側の対応位置に貫通孔６１、６２が設けられて組合せに供される。上述の前端板４０の両端近くの内側にパイル４１、４２が設けられ、ボルト４３、４４が横板１６の対応する孔を通り該パイル４１、４２にねじ込まれる。前端板４０の両側上端に所定高さの隆起部４７、４８が設けられ、これら隆起部が内挟持溝４５、４６を具えてカバー５２を挟持位置決めする。アクリルカバー５２を具えた発光ダイオード５０及びの基板５１の全体は螺子止め構造なくして前端板４０の隆起部４７、４８の間及び制御パネル３０下方に位置決めされる。
【００１７】
以上の実施例は本考案の範囲を制限するものではなく、本考案に基づきなしうる細部の修飾或いは改変は、いずれも本考案の請求範囲に属するものとする。
【図面の簡単な説明】
【００１８】
【図１】本考案の実施例の立体図である。
【図２】図１の部品分解図である。
【図３】図２のディスプレイパネルと機体の拡大分解図である。
【図４】図２の制御パネルと機体の拡大分解図である。
【図５】図２の制御パネルエリアの詳細な部品分解図である。
【図６】本考案の制御パネルエリアの内側から観た部品分解図である。
【図７】図６の左側局部拡大図である。
【図８】図６の右側局部拡大図である。
【符号の説明】
【００１９】
１０  機体                      １１  上框
１２  両側框                    １３  溝
１４  貫通孔                    １５  ボルト
１６  横板                      ２０  ディスプレイパネル
２１  フック                    ２２  外周框
２３  内框辺                    ３０  制御パネル
３１  ネジ柱                    ３２  前端円弧装飾部
４０  前端板                    ４１、４２  パイル
４３、４４  ボルト              ４５、４６  内挟持溝
４７、４８  隆起部              ５０  発光ダイオード
５１  基板                      ５２  カバー
６０  位置決め手段              ６１、６２  貫通孔
１２１  内凹位置決め框
【図１】
0003107015.tif 000003
【図２】
0003107015.tif 000004
【図３】
0003107015.tif 000005
【図４】
0003107015.tif 000006
【図５】
0003107015.tif 000007
【図６】
0003107015.tif 000008
【図７】
0003107015.tif 000009
【図８】
0003107015.tif 000010